(57)【特許請求の範囲】
【請求項１】
内視鏡の処置具挿通チャンネルの入口に外方から着脱自在に連通接続される接続口金部と、上記接続口金部に対してほぼ真っ直ぐに連通して外方に開口する処置具挿通孔部と、上記処置具挿通孔部の途中に側方から連通する送気口金部と、上記送気口金部側から上記処置具挿通孔部側へは流体を通過させその逆方向へは流体を通過させないように上記送気口金部と上記処置具挿通孔部との間に配置された逆止弁とが設けられると共に、上記送気口金部内の圧力が大気に対して一定以上の高圧になったときに大気に対して開放されるリリーフバルブが上記送気口金部内に連通して設けられていることを特徴とする内視鏡用送気アダプタ。
【発明の詳細な説明】
【０００１】
【発明の属する技術分野】
この発明は、内視鏡の処置具挿通チャンネルの入口に外方から取り付けられる内視鏡用送気アダプタに関する。
【０００２】
【従来の技術】
一般に内視鏡には、吸引管を兼ねる処置具挿通チャンネルが設けられ、消化器検査用の内視鏡ではさらに送気管等も設けられている。しかし、気管支検査用の内視鏡等では、送気の必要性がほとんど生じないことから送気管は設けられていないのが普通である。
【０００３】
そこで、気管支検査用の内視鏡で送気をすることが必要な場合には、送気口金を有するＴ字管状のアダプタ（送気アダプタ）を処置具挿通チャンネルの入口に取り付けて、処置具挿通チャンネルを通じて送気を行うようにしている。
【０００４】
【発明が解決しようとする課題】
しかし、上述のようにＴ字管状の送気アダプタを処置具挿通チャンネルの入口に単純に取り付けた構造では、処置具挿通チャンネル内に吸い込まれた汚液等が送気口金側に流れ込んで、送気口金に接続される送気具を汚染してしまう場合がある。
【０００５】
そこで、例えば実開昭６２−１６６８０４号等に示されるように、送気口金に隣接して送気通路を開閉する操作弁を設けたものもあるが、そのような操作弁を設けると、送気具側における送気操作と操作弁の操作を同時に行わなければならないので操作が極めて面倒になってしまう。
【０００６】
そこで本発明は、処置具挿通チャンネルを利用して手軽かつ清潔に送気を行うことができるようにした内視鏡用送気アダプタを提供することを目的とする。
【０００７】
【課題を解決するための手段】
上記の目的を達成するため、本発明の内視鏡用送気アダプタは、内視鏡の処置具挿通チャンネルの入口に外方から着脱自在に連通接続される接続口金部と、接続口金部に対してほぼ真っ直ぐに連通して外方に開口する処置具挿通孔部と、処置具挿通孔部の途中に側方から連通する送気口金部と、送気口金部側から処置具挿通孔部側へは流体を通過させその逆方向へは流体を通過させないように送気口金部と処置具挿通孔部との間に配置された逆止弁とが設けられているものである。
【０００８】
なお、送気口金部内の圧力が大気に対して一定以上の高圧になったときに大気に対して開放されるリリーフバルブが送気口金部内に連通して設けられていてもよい。
【０００９】
【発明の実施の形態】
図面を参照して本発明の実施例を説明する。
図２は例えば気管支検査などに用いられる内視鏡を示しており、可撓性の挿入部１の基端に操作部２が連結され、その連結部付近から斜め上方に向けて処置具挿入口３が突出形成されている。
【００１０】
処置具挿入口３は、挿入部１内に全長にわたって挿通配置された処置具挿通チャンネルの入口であり、操作部２に配置された吸引操作弁４を操作することにより、処置具挿通チャンネルを経由して吸引を行うことができる。
【００１１】
１０は、処置具挿入口３から処置具挿通チャンネルに送気を行うことができるようにするために、処置具挿入口３に対して着脱自在に取り付けられる内視鏡用送気アダプタであり、図２には処置具挿入口３から取り外された状態が図示されている。
【００１２】
図１は送気アダプタ１０を示しており、内視鏡の処置具挿入口３に対して着脱自在な例えばルアーロック口金等からなる接続口金部１１が、アダプタ本体部１２に対して軸線回りに回転自在に組み付けられ、その回転摺接面にはシール用のＯリング１３が装着されている。
【００１３】
アダプタ本体部１２には、接続口金部１１に対して同一軸線上にほぼ真っ直ぐに連通する処置具挿通孔部１４が貫通して形成されており、処置具挿通孔部１４の突端側（接続口金部１１と反対側）が外方に開口する処置具挿入口部１５になっている。
【００１４】
アダプタ本体部１２には、処置具挿通孔部１４の途中に側方から連通する状態に受け筒１６が側方に向けて突設されており、その受け筒１６に差し込まれた送気筒部１７の外面嵌合部にはシール用のＯリング１８が装着されている。
【００１５】
送気筒部１７は、受け筒１６に対して入口側から締め環１９によって固定されている。したがって、締め環１９を緩めれば送気筒部１７を受け筒１６から抜き出すことができる。
【００１６】
送気筒部１７には、軸線位置に送気孔部２０が貫通形成されていて、送気筒部１７の突端部分には、例えば注射針口金と同様の送気口金部２１がネジ止め固定されている。
【００１７】
受け筒１６内に位置する送気筒部１７の内端側には、弾力性のあるゴム材等によってキャップ状に形成された逆止弁２４が、送気孔部２０の内端部を塞いだ状態に取り付けられており、送気孔部２０に対して垂直に連通する状態に送気筒部１７に穿設された横孔２３が逆止弁２４の側壁部の内側に開口している。
【００１８】
したがって、送気口金部２１から送気孔部２０内に加圧空気が送り込まれれば、その空気は送気孔部２０から横孔２３を通り、逆止弁２４を弾性変形させて受け筒１６内から処置具挿通孔部１４内に送られ、その逆方向への空気の流れは、横孔２３が逆止弁２４によって塞がれるため阻止される。
【００１９】
送気筒部１７には、送気孔部２０の途中に側方から連通する状態に受け筒２５が突設されており、送気孔部２０内の圧力が大気に対して一定以上の高圧になったときに開放されるリリーフバルブ３０が、受け筒２５に着脱自在に取り付けられている。
【００２０】
リリーフバルブ３０は、受け筒２５の内孔の大気に通じる位置にある段部に外方から当接する弁体３０ａが、受け筒２５に螺合するキャップ３０ｂ内に配置された圧縮コイルスプリング３０ｃによって閉じ方向に付勢された構成になっている。３０ｄは抜け止めストッパである。
【００２１】
図３は、上述のように構成された実施例の送気アダプタ１０が内視鏡の処置具挿入口３に取り付けられた状態を示しており、処置具挿入口３を入口とする処置具挿通チャンネル５、及び吸引操作弁４と処置具挿通チャンネル５との間を接続する吸引管６等が図示されている。５０は、外部の吸引器に接続される吸引チューブである。
【００２２】
送気アダプタ１０の処置具挿入口部１５には、通常は自己の弾力によって閉じていて、挿入される処置具によって押し開かれるゴム製のスリット６１を有する公知の鉗子栓６０が着脱自在に取り付けられていて、そこから内視鏡の処置具挿通チャンネル５内に処置具を自由に挿脱することができる。
【００２３】
そして、送気アダプタ１０の送気口金部２１に送気具７０（例えば送気チューブ又は送気球等）を接続することにより、処置具挿通チャンネル５内に随時送気を行うことができ、処置具挿通チャンネル５内に先端側から吸い込まれた汚液等は、逆止弁２４により阻止されるので、送気口金部２１側に漏れ込むことはない。
【００２４】
また、送気圧が高すぎる場合等にはその状態の時だけリリーフバルブ３０が自動的に開放されるので、処置具挿通チャンネル５内が不都合に高圧になることはなく、連続送気を行うことによって処置具挿通チャンネル５を通じて体腔内を一定圧に保つこともできる。
【００２５】
このように構成された送気アダプタ１０は、図１及び図２に示されるように一つのユニットになっているが、締め環１９を緩めることにより、図４に示されるように送気筒部１７（及び送気口金部２１）と逆止弁２４を受け筒１６から取り外すことができ、さらにキャップ３０ｂを緩めることによりリリーフバルブ３０を取り外すことができ、そのように分解することによって、各部の洗浄、消毒や部品交換等を容易に行うことができる。
【００２６】
【発明の効果】
本発明によれば、送気口金部側から処置具挿通孔部側へは流体を通過させその逆方向へは流体を通過させないように送気口金部と処置具挿通孔部との間に逆止弁を配置したことにより、処置具挿通チャンネル内に吸い込まれた汚液等が送気口金部側に流れ込まず、しかも送気のために弁操作等を必要としないので、処置具挿通チャンネルを利用して手軽かつ清潔に送気を行うことができる。
【図面の簡単な説明】
【図１】本発明の実施例の内視鏡用送気アダプタの側面断面図である。
【図２】本発明の実施例の内視鏡用送気アダプタが内視鏡から取り外された状態の外観図である。
【図３】本発明の実施例の内視鏡用送気アダプタが内視鏡に取り付けられた状態の略示断面図である。
【図４】本発明の実施例の内視鏡用送気アダプタが分解された状態の側面半断面図である。
【符号の説明】
３  処置具挿入口
５  処置具挿通チャンネル
６  吸引管
１０  送気アダプタ
１１  接続口金部
１４  処置具挿通孔部
１５  処置具挿入口部
２０  送気孔部
２１  送気口金部
２４  逆止弁
３０  リリーフバルブ
６０  鉗子栓
【図１】
0004648562.tif 000002
【図２】
0004648562.tif 000003
【図３】
0004648562.tif 000004
【図４】
0004648562.tif 000005